(57)【要約】【課題】  水溶性接着剤により折り込み部形成片の相互接着状態を安定して保つことができ、再生する際に接着剤を溶融させて不純物として混入することがないファイルを提供すること。【解決手段】  表紙体１１の内面側に綴じ具１２を装着するための折り込み部２２が設けられている。折り込み部は紙製シートＳの一部を二枚厚に重ね合わせた一対の折り込み部形成片２２Ａ,２２Ｂにより構成され、一方の折り込み部形成片２２Ａの面内にプレスによる押し跡からなる凸面部３０が形成されている。折り込み部形成片の合わせ面に水溶性接着剤Ａを塗布して相互接着したときに、前記凸面部３０の存在により接着状態が安定して維持される。【選択図】          図３
2005067109.tif 000002
【特許請求の範囲】
【請求項１】
表紙体の内面側に折り込み部を設けて当該折り込み部の領域内に綴じ具が着脱自在に設けられたファイルにおいて、
前記折り込み部は前記表紙体を構成する紙製シートの一部を二枚厚に重ね合わせた一対の折り込み部形成片により構成されるとともに、当該折り込み部形成片は、少なくとも一方の折り込み部形成片の合わせ面に変形面部を形成したことを特徴とするファイル。
【請求項２】
表紙体の内面側に折り込み部を設けて当該折り込み部の領域内に綴じ具が着脱自在に設けられたファイルにおいて、
前記折り込み部は前記表紙体を構成する紙製シートの一部を二枚厚に重ね合わせた一対の折り込み部形成片により構成されるとともに、当該折り込み部形成片は、少なくとも一方の折り込み部形成片の合わせ面に変形面部を形成した状態で水溶性接着材により相互に接着されていることを特徴とするファイル。
【請求項３】
前記折り込み部形成片は、表紙体の上下方向に沿って延びる長片状をなし、その長手方向複数箇所に分散した領域内に前記変形面部が形成されていることを特徴とする請求項１又は２記載のファイル。
【請求項４】
前記変形面部は、対応する合わせ面に向かって突出する凸面部により構成されていることを特徴とする請求項１，２又は３記載のファイル。
【請求項５】
前記水溶性接着材は澱粉製糊であることを特徴とする請求項２，３又は４記載のファイル。
【請求項６】
前記綴じ具は、前記折り込み部に支持される一対の綴じ足と、これら綴じ足を挿入した状態で当該綴じ足を倒伏姿勢に保つ綴じ板部材とからなり、
前記綴じ足は、紙製により構成されていることを特徴とする請求項１，２，３，４又は５記載のファイル。
【発明の詳細な説明】
【技術分野】
【０００１】
本発明はファイルに係り、特に、不純物が混入することのない状態で再生利用が可能となるファイルに関する。
【背景技術】
【０００２】
図５に示されるように、表紙体５０の内面側に、当該表紙体５０を構成するシートＳの一部を二枚厚に重ね合わせて折り込み部５２を形成し、この折り込み部５２の領域を利用して綴じ足５３及び綴じ板部材５４からなる綴じ具５６を着脱自在に設けたファイル（フラットファイル）５７が知られている。
【０００３】
しかしながら、このようなファイル５７は、前記折り込み部５２を形成するように相互に重ね合わされた一対の折り込み部形成片５２Ａが、それらの面内にステイプラーの針５８を打ち込んで二枚厚に保たれる構成となっている。
【０００４】
従って、ファイル５７を廃棄処分すべく焼却した場合には、ステイプラーの針５８が焼却できないこととなり、また、再生しようとする場合には、前記針５８を除去しなければならない面倒な作業が要求される。
【０００５】
そこで、例えば、特許文献１では、前述した折り込み部の形成に際して、ステイプラーの針を用いずに、折り込み部形成片の相互合わせ面に接着剤を塗布して両者を接着する、という構成が提案されている。
【０００６】
【特許文献１】特開２０００−３４３８６５号公報
【発明の開示】
【発明が解決しようとする課題】
【０００７】
しかしながら、特許文献１に開示されたファイル製造方法では、特に、水溶性接着剤、例えば澱粉製糊を用いて折り込み部形成片同士を接着すると、表紙体を構成するシートが硬質紙により構成されていることで、折り込み後に元の平面位置に戻ろうとする傾向が強く働き、接着後、綴じ具装着前の段階で、折り込み部形成片同士が離れて接着が解除されてしまう、という不都合がある。そのため、接着した状態を安定して保つように、折り込み部形成片に相互接着力を維持させるような押圧力を外面側から付与し続ける必要があり、これが製造工程を複雑化してしまう要因となる。
【０００８】
前述した接着の解除は、いわゆる瞬間接着剤と称される部類の溶剤系の接着剤を用いることで解消することが可能と思われが、この場合には、材料コストが高騰するばかりでなく、気化ガスが周辺に充満して作業環境を著しく低下させる、という不都合がある。
また、特に問題となる事項として、ファイルを再生紙として再利用する際に、接着剤の組成物が溶解することなく硬化した状態で残ってしまい、これが不純物としてなって期待する再生紙を得ることができなくなるという不都合を招来する。
【０００９】
そこで、本発明者は、約０．５ｍｍ程度の紙製シートによるファイル表紙体の製造に際し、水溶性接着剤を用いた場合であっても、折り込み部形成片を相互に接着するときに、それらの合わせ面に若干の形状変化を付与することによって接着状態を安定して維持できることを知見した。
【００１０】
［発明の目的］
本発明は、前述した不都合に着目した種々の実験結果による知見に基づいて案出されたものであり、その目的は、折り込み部形成片の相互接着状態を安定して保つことができ、綴じ具装着前に折り込み部形成片の接着状態が解除されてしまうことがないファイルを提供することにある。
また、本発明の他の目的は、水溶性接着剤を用いることを可能とし、再生する際に、接着剤を溶融させて不純物として混入することがないファイルを提供することにある。
【課題を解決するための手段】
【００１１】
前記目的を達成するため、本発明は、表紙体の内面側に折り込み部を設けて当該折り込み部の領域内に綴じ具が着脱自在に設けられたファイルにおいて、
前記折り込み部は前記表紙体を構成する紙製シートの一部を二枚厚に重ね合わせた一対の折り込み部形成片により構成されるとともに、当該折り込み部形成片は、少なくとも一方の折り込み部形成片の合わせ面に変形面部を形成する、という構成を採っている。
この際、前記変形面部を形成した状態で、水溶性接着材により相互に接着される、という構成を併せて採用することができる。
【００１２】
本発明における折り込み部形成片は、表紙体の上下方向に沿って延びる長片状をなし、その長手方向複数箇所に分散した領域内に前記変形面部が形成される、という構成を採っている。
【００１３】
前記変形面部は、対応する合わせ面に向かって突出する凸面部により構成することが好ましい。
【００１４】
前記ファイルにおいて、前記水溶性接着剤は澱粉製糊を用いるとよい。
【００１５】
また、前記綴じ具は、前記折り込み部に支持される一対の綴じ足と、これら綴じ足を挿入した状態で当該綴じ足を倒伏姿勢に保つ綴じ板部材とからなり、
前記綴じ足は紙製により構成する、という構成を採ることができる。
【発明の効果】
【００１６】
本発明によれば、前記折り込み部形成片の合わせ面に水溶性接着剤、例えば、安価に入手できる澱粉製糊を塗布した後に、これら折り込み部形成片を表紙体の内面側に折り込んで重ね合わせたときに、変形面部及びその周辺領域が、折り込み前の元の平面位置に戻ろうとする力に抗して接着状態を維持するように作用する。その結果、その後の製造工程である綴じ具の綴じ足挿入作業に際して折り込み部が開いてしまうような不都合を解消することができる。
変形面部を折り込み部形成片の上下方向に分散した複数箇所に設け、且つ、対応する合わせ面に向かって突出する凸面部としたときに、前記接着状態を一層安定させることができる。凸面部が接着状態を維持しようとする作用は、一義的には解明できないが、凸面部回りの接着面積が平坦な面に対して相対的に多く確保されることが一つの推測として考えられる。この凸面部は、相互に近接する状態で複数設けることで一層良好な接着状態の維持を図ることができる。
水溶性接着剤により折り込み部形成片を相互に接着して構成されたファイルを再生処理する場合に際しては、当該接着剤の成分が再生紙に含まれるが、水溶性であることで硬化物として残る不純物とはならず、これにより期待する再生紙を得ることができる。
なお、綴じ具の綴じ足を紙製とした場合には、綴じ足を表紙体から除去する作業も不要となり、再処理工程における作業省力化を一層良好に達成することができる。
【発明を実施するための最良の形態】
【００１７】
以下、本発明の好ましい実施の形態について図面を参照しながら説明する。
図１には、本実施形態に係るファイルの概略斜視図が示され、図２には、表紙体の展開図が示されている。これらの図において、ファイル１０は、表紙体１１と、当該表紙体１１に着脱自在に設けられた綴じ具１２とにより構成されている。
【００１８】
前記表紙体１１は、図２に示されるように一枚の硬質紙からなる厚さ約０．５ｍｍ程度のシートＳにより形成されている。表紙体１１は、形成前の素材状態、すなわちシートＳの状態で平面視略長方形状をなし、その長手方向略中央部に背表紙２０を備え、当該背表紙２０の左側に表表紙２１が連なる一方、右側に、折り込み部２２を介して裏表紙２３が連なる形状に設けられて複数の領域に区分形成されている。ここで、シートＳは、図示しない裁断機を介して原紙シートから抜き加工され、当該加工時に、前記複数の領域を形成する折り曲げ用のプレス筋２５が表紙体１１の上下方向に沿って直線状に押圧して形成されている。なお、背表紙２０は、第１の背表紙片２０Ａと第２の背表紙片２０Ｂとの二つの領域からなり、書類等の綴じ込み量が増えて第１の背表紙片２０Ａの幅を超える厚みとなったときに、第２の背表紙片２０Ｂを第１の背表紙片２０Ａと略同一平面上に位置するように、表表紙２１との境界に位置するプレス筋２５位置を折り曲げて利用することができる。従って、綴じ幅が小さい場合には、第２の背表紙片２０Ｂが表表紙２１の一部を形成する状態で利用される。
【００１９】
前記折り込み部２２は、綴じ具１２の装着領域を形成するものであり、当該折り込み部２２は、第１及び第２の折り込み部形成片２２Ａ,２２Ｂにより構成されている。第１の折り込み部形成片２２Ａは第１の背表紙片２０Ａ側に位置する一方、第２の折り込み部形成片２２Ｂは、裏表紙２３側に位置する。これら折り込み部形成片２２Ａ,２２Ｂは、相互に略同一の平面形状を備えているとともに、それらの境界部に位置するプレス筋２５を折り曲げ位置として表紙体１１の内側に折り込まれ、これにより、折り込み部２２は、二枚厚となる状態に形成されて綴じ具１２の装着領域としての一定の強度維持と形状安定が図られる。折り込み部２２の面内略中央部には、その上下方向すなわち長手方向略中央を仮想中心とした上下略対称位置に綴じ足挿入穴２６が形成されている。そして、これら綴じ足挿入穴２６を利用して綴じ足２７が公知の方法で支持され、当該綴じ足２７を図示しない用紙の穴に挿入し、綴じ板部材２８を介して倒伏姿勢とすることで書類の綴じ込みが行えるようになっている。なお、本実施形態における綴じ足２７は、紙製のものにより構成されている。具体的には、紙縒り若しくはこれに近似した構造が採用されており、書類の加除整理に際して反復継続的に変位させても、それに耐え得る程度の強度と可撓性を備えて構成されている。
【００２０】
前記折り込み部２２は、前記第１及び第２の折り込み部形成片２２Ａ,２２Ｂの合わせ面に澱粉製糊からなる水溶性接着剤Ａを介して相互に接着することで形成されている。本実施形態では、第１の折り込み部形成片２２Ａにおいて、その長手方向両側の合わせ面側には、シートＳを形成する際に同時にプレスして形成された押し跡となる変形面部としての凸面部３０がそれぞれ複数（図示例では各四個）設けられている。なお、凸面部３０は、平面視略円形をなし、合わせ面側から見たときに突出して見えるものであり、その反対側の面から見たときは、凹状に凹んで見えることとなる（図３及び図４参照）。
【００２１】
次に、前記ファイル１０の形成要領について説明する。
先ず、図２に示されるように、図示しない裁断機によりシートＳを形成する。この際、プレス筋２５、綴じ足挿入穴２６及び凸面部３０が同時に形成される。
次いで、第１及び第２の折り込み部形成片２２Ａ,２２Ｂの外面側、すなわち合わせ面側に糊をローラ等の手段で塗布した後、折り込み部形成片２２Ａ,２２Ｂ間のプレス筋２５位置を内側から見て山折りし、これらを表紙体１１の内面側に折り込みつつ相互に接着する。
【００２２】
このとき、接着された各折り込み部形成片２２Ａ,２２Ｂは、初期の平面形状に戻ろうとする力を生ずるが、これに抗する力が前記凸面部３０及びその周辺領域に発生し、各折り込み部形成片２２Ａ,２２Ｂの相互接着状態を維持するようになる。これは、前述したように、凸面部３０回りの接着面積が平坦な面とした場合よりも相対的に多く確保されることによるものと推測される。また、接着剤Ａを塗布して合わせ面に外側から押圧力を付与したときに、凸面部３０の先端面が対応する面に食い込む傾向をもたらすことも理論上推定できる。
【００２３】
このようにして折り込み部２２が形成された後に、前記綴じ足挿入穴２６に綴じ足２７を挿入してこれを支持し、綴じ板部材２８と組み合わせることでファイル１０を完成させることができる。なお、ファイル１０を廃棄する場合には、綴じ具１２の綴じ板部材２８のみを取り外して再生処理に付することができる。
【００２４】
従って、このような実施形態によれば、折り込み部２２を形成する第１及び第２の折り込み部形成片２２Ａ,２２Ｂを水溶性接着剤Ａで接着するとともに、第１の折り込み部形成片２２Ａの合わせ面側に凸面部３０を複数設けたことで、接着状態を維持したまま硬化させることができるようになる、という効果を得る。
しかも、ファイル１０を廃棄して再生する際に、綴じ板部材のみを取り外すだけで足りるため、面倒がないとともに、再生紙に不純物が含まれてしまうような不都合を解消することができる。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、当業者が様々な変形を加えることができるものである。
従って、上記に開示した構成は、本発明の理解を容易にするために例示的に記載したものであり、本発明を限定するものではないから、例えば、凸面部３０の形成領域を図示構成例よりも拡げたり、数を増やしたりすることを妨げない。また、凸面部３０の平面形状も丸形に限らず、その他の平面形状としてもよい。更に、凸面部３０が相互に干渉しない状態で、第２の折り込み部形成片側に形成することもできる。また、凸面部に代えて、面形状が平坦とはならない他の変形を折り込み部形成片に設けることでもよい。要するに、本発明は、例えば、澱粉製糊のように接着力が弱い水溶性接着剤を用いたときに、完全接着前の段階で、折り込み部形成片同士が離れてしまう傾向を抑制するように剥離抵抗を生じさせる面形状であれば足りる。
【産業上の利用可能性】
【００２６】
本発明は、各種書類を加除整理する事務用備品として利用される。
【図面の簡単な説明】
【００２７】
【図１】本実施形態に係るファイルの概略斜視図。
【図２】前記ファイルの表紙体の展開図。
【図３】図１のＡ−Ａ線矢視拡大端面図。
【図４】図２のＢ−Ｂ線矢視拡大端面図。
【図５】従来のファイルを示す概略斜視図。
【符号の説明】
【００２８】
１０  ファイル
１１  表紙体
１２  綴じ具
２２  折り込み部
２２Ａ  第１の折り込み部形成片
２２Ｂ  第２の折り込み部形成片
２７  綴じ足
２８  綴じ板部材
３０  凸面部（変形面部）
Ａ  水溶性接着剤
Ｓ  シート
【図１】
2005067109.tif 000003
【図２】
2005067109.tif 000004
【図３】
2005067109.tif 000005
【図４】
2005067109.tif 000006
【図５】
2005067109.tif 000007